(57)【要約】      （修正有）【課題】従来よりもマッサージ効果を高めた顔面シャワーマッサージ器を提供する。【解決手段】各枝配管及び噴出口の位置を調節可能とするための機構を備えた顔面シャワーマッサージ器を示す。この顔面シャワーマッサージ器３０では、３本の枝配管３３ａ、３３ｂ、３３ｃが１本のレール３５上にそれぞれ移動可能に配置されている。各枝配管３３ａ、３３ｂ、３３ｃは可撓性のあるチューブ３６ａ、３６ｂにより接続され、全体はチューブ３６ｃにより流量調節弁３４を介して水道に接続されている。【選択図】図３
0003115041.tif 000002
【実用新案登録請求の範囲】
【請求項１】
顔面の特定部位に特に強く水を噴射するための機構を備えた顔面シャワーマッサージ器。
【請求項２】
a) 排水口付ボウルと、
b) 該ボウル内に取付・取外し可能であって、顔面の特定部位に対応する箇所において特に強く水を噴射するための噴出口を設けたシャワーと、
c) 該シャワーに設けられた流量調節弁と、
を備えることを特徴とする顔面シャワーマッサージ器。
【請求項３】
上記特定部位が、額、左右の目の下、及び口の左右であることを特徴とする請求項１又は２に記載の顔面シャワーマッサージ器。
【考案の詳細な説明】
【技術分野】
【０００１】
本考案は、シャワーにより顔面をマッサージするための器具に関する。
【背景技術】
【０００２】
顔面のマッサージ機能を備えたシャワー器は、既にいくつか提案されている。
特許文献１に記載の洗顔器は、すりばち状の凹部にシャワー部を設けたもので、シャワー部は中央から周囲に向かうにつれて高くなる階段状を呈している。このような構成としたことにより、中央の鼻付近を除き、顔面にほぼ均一にシャワーを噴射することができるとしている。また、中央の鼻付近に噴出口を設けないことにより吸気路を確保し、洗顔中の呼吸を容易にするという効果も備えるとしている。
【０００３】
特許文献２に記載の顔・首洗浄器具は、顔首形の容器の中に長円形のシャワーを配置し、容器の縁にスポンジを設けたものである。美容上、首（前頚部）の外観が重要であることから、顔面と共に首のマッサージもできるようにしたところに特徴を有する。また、容器の縁のスポンジが顔面及び首に密着することにより、シャワーから噴出された水が外部に漏れることが防止されるとしている。
【特許文献１】特開平09-173407号公報
【特許文献２】特開平10-094497号公報
【考案の開示】
【考案が解決しようとする課題】
【０００４】
従来より存在する顔面シャワー器は、いずれも顔面全体に水を噴射し、顔面内では均等に圧力を加えるように工夫されている。なお、特許文献１に記載の洗顔器では、鼻付近だけは呼吸のために水の噴出を行わないようになっているが、その他の部分では圧力ができるだけ均等になるように、階段状の構成を採用している。
【０００５】
しかし、顔面は人体の中でも最も筋肉が細かく分かれている部分の一つであり、各筋肉はそれぞれ微妙な動きを行うことによって様々な人間らしい表情を作り出すという重要な役割を担っている。一般に行われている指や掌による顔面美容マッサージにおいても、額や目尻など、各部位毎に細かくそれぞれ独特のマッサージが行われる。
【０００６】
しかるに、従来の顔面マッサージ器にはこのような配慮がなく、むしろ上記のようにできるだけ顔面全体に均等に水を噴射するようになっていた。
【０００７】
本考案が解決しようとする課題は、よりマッサージ効果を高めた顔面シャワーマッサージ器を提供することである。
【課題を解決するための手段】
【０００８】
上記課題を解決するために成された本考案に係る顔面シャワーマッサージ器は、顔面の特定部位に特に強く水を噴射するための機構を備えたことを特徴とする。
【０００９】
或いは、本考案に係る顔面シャワーマッサージ器は、
a) 排水口付ボウルと、
b) 該ボウル内に取付・取外し可能であって、顔面の特定部位に対応する箇所において特に強く水を噴射するための噴出口を設けたシャワーと、
c) 該シャワーに設けられた流量調節弁と、
を備えるものである。
【００１０】
なお、上記特定部位としては、額、左右の目の下、及び口の左右とすることが望ましい。その部位の一例を図１(a)に示す。なお、図１(b)に示すように、左右を連結して噴出するようにしてもよい。
【考案の効果】
【００１１】
本考案に係る顔面シャワーマッサージ器では、顔面の各部位に応じた強さで水を噴射するため、各部位に対して最大のマッサージ効果を挙げることができる。例えば、特にしわの寄りやすい額、左右の目の下、及び口の左右において強いマッサージを行うことによりそれらの部位におけるしわの生成を防止し、他の部位ではマッサージ力を相対的に弱くすることにより皮膚への刺激を少なくする。
【考案を実施するための最良の形態】
【００１２】
本考案の一実施形態である顔面シャワーマッサージ器を図２(a)に示す。この顔面シャワーマッサージ器１０は、顔の周囲に密着するように、内縁に柔らかいスポンジ状部材で縁取り１１を設けたボウル１２の中に「王」の字状に配管１３を設け、配管１３の根本に流量調節弁１４を設けたものである。配管１３は、図１(a)に示す噴出部位に対応した枝配管及び噴出口を有しており、ボウル１２に対して取り付け及び取り外しが可能となっている。なお、その取り付け位置は、使用者により多少の調節が可能なようにしておくことが望ましい。
【００１３】
図２(b)はその変形例である。この顔面シャワーマッサージ器２０は、配管２３の噴出口が図１(b)の噴出態様に対応する位置に設けられている他は、図２(a)のものと同じである。
【００１４】
図２(a)(b)の例では配管１３の全体の位置は調節可能であるものの、各枝配管及び噴出口の位置は固定されていた。それらを調節可能とするための機構を備えた顔面シャワーマッサージ器を図３に示す。この実施形態の顔面シャワーマッサージ器３０では、３本の枝配管３３ａ、３３ｂ、３３ｃが１本のレール３５上にそれぞれ移動可能に配置されている。各枝配管３３ａ、３３ｂ、３３ｃは可撓性のあるチューブ３６ａ、３６ｂにより接続され、全体はチューブ３６ｃにより流量調節弁３４を介して水道に接続されている。
【００１５】
噴出位置の調節の自由度を更に高めた顔面シャワーマッサージ器の構造を図４に示す。この例では、図３の額用３３ａ、目の下用３３ｂ及び口元用３３ｃの枝配管が更に左右に分かれ、その間の距離が調節可能となっている。
【図面の簡単な説明】
【００１６】
【図１】本考案の顔面シャワーマッサージ器が特に水を強く噴射する顔面の特定部位の配置図。
【図２】本考案の第一の実施形態である顔面シャワーマッサージ器の平面図(a)、及び、その変形例の平面図(b)。
【図３】本考案の第二の実施形態である顔面シャワーマッサージ器の平面図。
【図４】本考案の第三の実施形態である顔面シャワーマッサージ器の平面図。
【符号の説明】
【００１７】
１０、２０、３０、４０…顔面シャワーマッサージ器
１１、２１、３１、４１…ボウルの縁取り部材
１２、２２、３２、４２…ボウル
１３、２３、３３ａ、３３ｂ、３３ｃ、４３ａ１、４３ａ２…配管・枝配管
４３ａ３…枝配管距離調節部材
１４、２４、３４、４４…流量調節弁
３５、４５…配管移動用レール
３６ａ、３６ｂ、３６ｃ、４６ａ、４６ｂ、４６ｃ…配水チューブ
【図１】
0003115041.tif 000003
【図２】
0003115041.tif 000004
【図３】
0003115041.tif 000005
【図４】
0003115041.tif 000006